(57)【要約】【課題】段ボール製の内装材の組み立てに際して、内部に複数の壁部を備えた内装材の組み立て作業を短時間かつ安定して行えるようにすること。【解決手段】  本発明に係る内装材組み立て方法は、平板状の段ボール材の縁以外の内側の所定領域に形成された壁形成用舌片を起こして壁部を形成して内装材を組み立てる、内装材組み立て方法であって、まず、前記壁形成用舌片を起こして壁部を形成し、次に、このようにして形成された壁部を、内装材組み立て用治具に凸設された凸状のプレートによって倒れないように保持しながら組み立て作業を行う。  前記内装材組み立て用治具の縁以外の内側には、前記平板状の段ボール材に形成された前記壁形成用舌片の位置に対応させて、前記壁形成用舌片を起こして形成した壁部を支持するための凸状のプレートが立設されている。【選択図】図１０
2014223765.tif 000002
【特許請求の範囲】
【請求項１】
平板状の段ボール材の縁以外の内側の所定領域に形成された壁形成用舌片を起こして壁部を形成して内装材を組み立てる内装材組み立て方法であって、
まず、前記壁形成用舌片を起こして壁部を形成し、
次に、このようにして形成された壁部を、内装材組み立て用治具に凸設された凸状のプレートによって倒れないように保持しながら組み立て作業を行うことを特徴とする内装材組み立て方法。
【請求項２】
平板状の段ボール材の縁以外の内側の所定領域に形成された壁形成用舌片を起こして壁部を形成して内装材を組み立てる、内装材組み立て方法に用いる内装材組み立て用治具であって、
前記内装材組み立て用治具の縁以外の内側には、前記平板状の段ボール材に形成された前記壁形成用舌片の位置に対応させて、前記壁形成用舌片を起こして形成した壁部を支持するための凸状のプレートが立設されていることを特徴とする内装材組み立て用治具。
【請求項３】
前記内装材組み立て用治具を、前記壁形成用舌片を引き起こして形成した壁部に、別途形成された仕切り板を差し込むための切り込みが形成されている内装材の組み立てに用いる際には、
前記凸状のプレートには、
前記壁部の前記切り込みに対応する位置に、仕切り板差込み空間が形成されていることを特徴とする請求項２に記載の内装材組み立て用治具。
【請求項４】
前記凸状のプレートの肩部は、直線もしくは曲線によって面取りされていることを特徴とする請求項２、３の何れか１項に記載の内装材組み立て用治具。
【請求項５】
前記凸状のプレートの高さは、前記壁部の高さに合わせて設定されていることを特徴とする請求項２、３、４の何れか１項に記載の内装材組み立て用治具。
【発明の詳細な説明】
【技術分野】
【０００１】
本発明は、電子機器等の製品を梱包する際に使用する段ボール製の内装材を組み立てる方法、および、内装材を組み立てる際に使用する内装材組み立て用治具に関するものである。
【背景技術】
【０００２】
段ボール製の内装材の組み立て作業時においては、例えば、図１に示したような平板状の段ボール材１を用いる場合、図２、３に示したように、壁形成用舌片１１を起こして壁部１１１を形成し、その壁部１１１に設けられた切り込み１１２に、反対側から折り込んできた仕切り板１２の先部１２１を差しこむ等の作業が必要である。
しかし、このような組み立て作業においては、立ち上げられた複数の壁部１１１、１１１を人の手で保持しながら、別の仕切り板１２の先部１２１を差し込む等の作業となり、図５、６に示したような内装材１０を短時間で安定して組み立てることは難しいという問題があった。
したがって、不慣れな作業者と熟練者では、作業時間が大きく異なるという問題があった。
【０００３】
なお、特許文献１、２においては、段ボール製の内装材を組み立てる技術が開示されているが、これらの文献において開示されている技術は、平板状の段ボール材の周囲の領域を立ち上げて外壁を形成するための技術であって、内装材の内部に形成される壁部や仕切り板の組み立てに関する技術ではない。
【先行技術文献】
【特許文献】
【０００４】
【特許文献１】特許第４４９１０８６号特許公報
【特許文献２】特開平９−２３９８７０号公報
【発明の概要】
【発明が解決しようとする課題】
【０００５】
前述したように、例えば、図１に示したような平板状の段ボール材１を用いて、図５、６に示したような内装材１０を組み立てる際には、人の手により、複数の壁部の保持と、仕切り板の差込み作業等を同時に並行して行う必要があるが、そのような作業は困難であり、時間がかかるという問題があった。
例えば、立ち上げた壁部に仕切り板を差し込む際、複数の壁部の数ヶ所を同時に保持しながら、切り込みの間隔を合わせ、仕切り板を折り曲げてきて差し込むという作業を行う必要がある。
このとき、仕切り板の先部が切り込みの位置にうまく合わないと差し込む動作がスムーズにできず動作が手間取ることになる。
本発明では、内装材の組み立て作業において、立ち上げた複数の壁部を手で保持していなくても仕切り板の差込み等の組み立て作業を安定して行うことを可能とすることを目的としている。
【課題を解決するための手段】
【０００６】
本発明の請求項１に係る内装材組み立て方法は、
平板状の段ボール材の縁以外の内側の所定領域に形成された壁形成用舌片を起こして壁部を形成して内装材を組み立てる、内装材組み立て方法であって、
前記壁形成用舌片を起こして壁部を形成し、
このようにして形成された壁部を、内装材組み立て用治具に凸設された凸状のプレートによって倒れないように保持しながら組み立て作業を行うことを特徴としている。
請求項２に係る内装材組み立て用治具は、
平板状の段ボール材の縁以外の内側の所定領域に形成された壁形成用舌片を起こして壁部を形成して内装材を組み立てる、内装材組み立て方法に用いる内装材組み立て用治具であって、
前記内装材組み立て用治具の縁以外の内側には、前記平板状の段ボール材に形成された前記壁形成用舌片の位置に対応させて、前記壁形成用舌片を起こして形成した壁部を支持するための凸状のプレートが立設されていることを特徴としている。
【０００７】
請求項３に係る内装材組み立て用治具は、
前記内装材組み立て用治具を、前記壁形成用舌片を引き起こして形成した壁部に、別途形成された仕切り板を差し込むための切り込みが形成されている内装材の組み立てに用いる際には、
前記内装材組み立て用治具の前記凸状のプレートには、
前記壁部の前記切り込みに対応する位置に、仕切り板差込み空間が形成されていることを特徴としている。
請求項４に係る内装材組み立て用治具では、
前記凸状のプレートの肩部は直線もしくは曲線によって面取りされていることを特徴としている。
請求項５に係る内装材組み立て用治具では、
前記凸状のプレートの高さは、前記壁部の高さに合わせて設定されている。
【発明の効果】
【０００８】
本発明によれば、内装材組み立て用治具が備えた凸状のプレートによって、引き起こした複数の壁部を、倒れないように保持することができるので、人の手で前記壁部を保持する必要がなくなり、内装材の組み立て作業がスムーズ、且つ安定して行える。
また、前記プレートの肩部は、仕切り板がスムーズに差し込めるようにするため、角部を斜めにカットして面取りしているので、熟練した作業者でなくても仕切り板の差込みをスムーズに行うことができるようになる。
【図面の簡単な説明】
【０００９】
【図１】本発明に係る内装材組み立て方法で用いる平板状の段ボール材の斜視図である。
【図２】前記平板状の段ボール材による内装材の組み立て途中の斜視図である。
【図３】前記平板状の段ボール材による内装材の組み立て途中の斜視図である。
【図４】前記平板状の段ボール材による内装材の組み立て途中の斜視図である。
【図５】前記内装材の組み立て完了状態の斜視図である。
【図６】図５の前記内装材を裏返した状態の斜視図である。
【図７】本発明に係る内装材組み立て用治具の斜視図である。
【図８】前記内装材組み立て用治具の正面図である。
【図９】前記内装材組み立て用治具の側面図である。
【図１０】本発明に係る内装材組み立て用治具を用いた内装材組み立て方法の説明図である。
【発明を実施するための形態】
【００１０】
本発明に係る内装材組み立て用治具の実施形態を、図面を参照して説明する。
図１には本発明が対象とする内装材を組み立て形成するための平板状の段ボール材の斜視図を示し、図２〜４には組み立て途中の内装材の斜視図を示している。
なお、図２〜４においては、本発明に係る内装材組み立て用治具は図示していない。
図１において、平板状の段ボール材１の縁以外の内側である中央近傍の平面領域１Ａには、壁部を形成するための壁形成用舌片１１が形成されている。
この壁形成用舌片１１は、例えば矩形でその１辺を除いて切り込みされて前記１辺を例えば谷折りすることによって引き起こして立ち上げることによって、図２〜４に示された壁部１１１が形成されるように構成されている。
【００１１】
前記壁形成用舌片１１は、例えば矩形もしくは面取りされた矩形であり、前記矩形の外側の１辺１１０を除いて切り込みされて、前記１辺１１０を谷折りして、前記壁形成用舌片１１を外側に引き起こして立ち上げ、壁部１１１を形成するように構成されている。
また、別の壁形成用舌片１１３が形成されており、この壁形成用舌片１１３を引き起こして立ち上げることによって、別の壁部１１３１を形成するように構成されている。
このような壁形成用舌片１１、１１３は、内装材の構造に応じて複数形成されている。
【００１２】
図１、２に示したように、前記内装材組み立て用治具の縁には、例えば、仕切り板１２、１３、１４が別途形成されている。
前記仕切り板１２の先部１２１は、例えば３本の谷折り線１２０、１２０、１２０によって谷折りすることにより、図３に示したように、前記壁部１１１に形成された切り込み１１２に差込み得るように構成されている。前記仕切り板１２の先部１２１にも切り込み１２１１が形成され、前記壁部１１１の切り込み１１２に噛み合わせて確実に差込み得るように構成されている。さらに、前記先部１２１は前記壁部１１３１の切り込み１１４にも差し込む（図２参照）。
また、図４に示したように、前記仕切り板１３の先部１３１を、前記先部１２１に重ねて前記切り込み１１２に差込み、前記仕切り板１４の先部１４１を、前記先部１２１に重ねて前記切り込み１１４に差込む。
【００１３】
以上の作業により、図５に示したような内装材１０を組み立てる。そして、図５の内装材を上下裏返すことにより、図６に示したように完成状態の内装材１０ができあがる。この内装材１０には、複数の収納空間Ａ、Ｂ、Ｃ、Ｄが形成されている。
なお、図６に示した内装材１０の一部には、図４に示した組み立て途中の内装材と対応する符号を付して、その対応関係を示した。
【００１４】
次に、本発明に係る内装材組み立て用治具の実施形態を、図面を参照して説明する。
図７には、本発明に係る内装材組み立て用治具２の斜視図を示している。
前記内装材組み立て用治具２の基板２１の縁以外の内側には、凸状のプレート３が立設されている。このプレート３は、前記平板状の段ボール材１の前記壁形成用舌片１１の位置に対応する位置に立設されている。
前記プレート３は、前記引き起こされた壁部１１１が元の状態に倒れこまないように支える位置に配設されている。即ち、図８に示したように、前記平板状の段ボール材１の前記壁形成用舌片１１の前記１辺１１０の位置の若干内側に、前記プレート３、３は配設されている。
【００１５】
なお、図１、２の例のように、２つの壁形成用舌片１１、１１を、平行な辺１１０、１１０で谷折りして、それぞれ外側に引き起こして立ち上げて、向かい合う２つの平行な壁部１１１，１１１を形成する場合には、前記２つのプレート３、３を平行に立設する。
壁形成用舌片を引き起こして立ち上げる複数の壁部が互いに平行でない場合には、対応する複数のプレートも、前記壁部に合わせて、互いに平行でない状態に立設する。
【００１６】
図１、２に示したように、前記壁形成用舌片１１を引き起こして形成した壁部１１１には、前記仕切り板１２の先部１２１を差し込むための切り込み１１２が形成されているので、図７、９に示したように、対応するプレート３には、前記仕切り板１２の先部１２１の差し込みに邪魔にならないように、仕切り板差込み空間３Ａが形成されている。換言すれば、前記プレート３は、前記仕切り板差込み空間３Ａによって２つのプレート３１、３２に分離されていると言える。
【００１７】
図８には、前記内装材組み立て用治具２の正面図と、前記平板状の段ボール材１の正面図を示している。この図においては、前記平板状の段ボール材１の壁形成用舌片１１、１１が若干引き起こされた状態を実線で示し、完全に引き起こされて形成された壁部１１１、１１１を破線で示している。
この図に示されているように、前記プレート３を正面視した肩部は、直線もしくは曲線によって面取りされている。この図では、前記壁形成用舌片１１の下側（前記壁部１１１の内側）を支えるため、前記プレート３、３の外側の肩部が面取りされている。
なお、図８に示された他のプレート３Ｂは、図１、２に示された対応する壁形成用舌片１１３を内側に引き起こして壁部１１３１を立ち上げるものであり、対応する壁部１１３１を外側から支えるために、前記プレート３Ｂの内側の肩部が面取りされている。
このように、各プレートにおいては、壁形成用舌片を押し上げる側の肩部を面取りするとよい。
【００１８】
図９には、前記内装材組み立て用治具２の側面図を示している。
この図に示されているように、前記プレート３を側面視した肩部も、直線もしくは曲線によって面取りされている。前記プレート３１、３２の前記仕切り板差込み空間３Ａ側の肩部が面取りされているので、前記仕切り板１２の先部１２１を若干斜めに差し込んでも差し込みやすくなっている。前記プレート３１、３２の外側の肩部は面取りされていなくてもよい。
このように、前記プレート３の肩部は、仕切り板１２の先部１２１がスムーズに差し込めるように角部を斜めにカットして面取りされているので、熟練した作業者でなくても仕切り板１２の先部１２１の差込みをスムーズに行うことができるようになる。
【００１９】
次に、各プレートの高さについて、図２、５、８を参照して説明する。
図８に示した前記プレート３１、３２、３Ｂの高さｈ１，ｈ２，ｈ３は、各仕切り板１２、１３、１４の先部１２１、１３１、１４１の幅ｗ１，ｗ２，ｗ３（図２参照。）に対応させて設定されている。
図２に示したように、前記壁部１１１は、前記切り込み１１２によって、２つの壁部に分割されている。また、図中の下側の壁部１１１の先部１１１Ａは、高さｄ１で折り曲げられて前記壁部１１１の実質的な高さを、前記仕切り板１２の前記先部１２１の幅ｗ１に合わせて低くしている。
なお、図中の上側の壁部１１１の先部１１１Ｂは折り曲げられることなく、図５に示したように、前記仕切り板１２の一部を貫通して上方に突出（先部１１１Ｂ）している。
前記切り込み１１２によって２つに分割された前記壁部１１１の他方の部分の高さｄ２は、前記仕切り板１３の前記先部１３１の幅ｗ２に合わせた高さに設定されている。
そして、前記壁部１１３１の高さｄ３は、前記仕切り板１４の前記先部１４１の幅ｗ３に合わせた高さに設定されている。
【００２０】
以上において説明したように、
ｄ１≒ｗ１≒ｈ１、ｄ２≒ｗ２≒ｈ２、ｄ３≒ｗ３≒ｈ３
と表すことができる。
また、各プレート３１，３２，３Ｂの高さｈ１，ｈ２，ｈ３の高低関係は以下のように設定されている。
ｈ２＞ｈ１＞ｈ３
このように、各プレートの高さは、対応する部分の高さに合わせたので、組み立て作業中の内装材を上から押さえたりして多少雑に扱って組み立てても、組み立て作業中の内装材の段ボールが凹まないという効果がある。
【００２１】
図７に示されているように、前記内装材組み立て用治具２の基板２１には複数箇所の孔２２が貫通させて形成されている。前記孔２２は、作業時に発生する段ボール材のクズ等が、下方に落下しやすいように設けたものである。
【００２２】
次に、前記内装材組み立て用治具２を用いた内装材１０の組み立て作業を説明する。
図８に示したように、前記内装材組み立て用治具２の上方から、対応する部分の位置を合わせながら、前記平板状の段ボール材１を押し当てる。
図１０に示したように、前記平板状の段ボール材１を前記プレート３、３、３Ｂに押し当てると、向かい合うプレート３、３によって壁部１１１、１１１が立ち上げられるとともに、倒れないように支えられ、別のプレート３Ｂによって壁部１１３１が立ち上げられるとともに、倒れないように支えられる。
【００２３】
次に、図３、４を参照した説明と同様に、前記仕切り板１２の先部１２１を、前記壁部１１１、１１１に形成された前記切り込み１１２、１１２に差込み、並行して、前記壁部１１３１に形成された切り込み１１４に差し込む。
さらに、他方の仕切り板１３の先部１３１も前記切り込み１１２、１１２に差し込み、仕切り板１４の先部１４１も前記切り込み１１４に差し込む。
以上の作業において、前記プレートによって、引き起こした複数の壁部を、倒れないように保持することができるので、人の手で前記複数の壁部を立ち上げて保持する必要がなくなり、内装材の組み立て作業がスムーズ、且つ安定して行える。
このようにして、前記内装材組み立て用治具２を使用して内装材１０を組み立てた後、前記内装材組み立て用治具２を取り除くと、図５に示したような内装材１０ができあがる。
前記プレート３、３、３Ｂの肩部が面取りされているので、前記内装材組み立て用治具２は組み立て後の内装材１０から容易に取り除くことができる。
【００２４】
このようにして内装材１０を組み立てた後は、図６を参照して前述したように、前記内装材１０を上下裏返すことにより完成状態の内装材１０ができあがる。この内装材１０には、複数の収納空間Ａ、Ｂ、Ｃ、Ｄが形成されているので、各収納空間Ａ，Ｂ，Ｃ，Ｄに各収納品を順次収納して、外箱に入れて出荷等の作業を行う。
このようにして出来上がった内装材に、例えば携帯型無線通信機を収納する場合には、前記収納空間Ａは、底が浅くて幅が狭いので、携帯型無線通信機の本体を収納するのに適している。
前記収納空間Ｂは、底が深くて幅が広いので、ＡＣアダプターや充電台、バッテリーパックや小物類を収納するのに適している。
前記収納空間Ｃ、Ｄは、間の壁の一部を切り欠いて２つの空間の一部を連続させることにより、細長い空間を形成しているので、アンテナを収納するのに適している。
【００２５】
壁部の数は、１つに限らず複数の場合の方が、本発明の効果はさらに顕著になる。また、壁部に設ける切り込みは、１つに限らず複数設けることができる。
なお、本発明に係る内装材組み立て用治具は、組み立てる内装材の構成に応じて作成する専用治具とする。
【符号の説明】
【００２６】
１  平板状の段ボール材
１Ａ  中央近傍の平面領域
１１  壁形成用舌片
１１０  １辺
１１１  壁部
１１２  壁部１１１の切り込み
１１３  壁形成用舌片
１１３１  壁部
１１４  壁部１１３１の切り込み
１２、１３、１４  仕切り板
１２１  仕切り板１２の先部
１２１１  仕切り板１２の先部１２１の切り込み
１３１  仕切り板１３の先部
１４１  仕切り板１４の先部
２  内装材組み立て用治具
２１  基板
２２  孔
３  プレート
３１、３２  プレート
３Ａ  仕切り板差込み空間
３Ｂ  プレート
【図１】
2014223765.tif 000003
【図２】
2014223765.tif 000004
【図３】
2014223765.tif 000005
【図４】
2014223765.tif 000006
【図５】
2014223765.tif 000007
【図６】
2014223765.tif 000008
【図７】
2014223765.tif 000009
【図８】
2014223765.tif 000010
【図９】
2014223765.tif 000011
【図１０】
2014223765.tif 000012